(57)【特許請求の範囲】
【請求項１】
パチンコ島台に形成される玉揚送装置収納部に設置され、且つ、前記パチンコ島台に列設される複数の遊技機に供給するパチンコ玉を、垂直状に立設される断面方形中空状の揚送筒本体の上下の各端部に回転自在に軸支される上部ローラと下部ローラとの間を周回せしめられる無端状の搬送ベルトと、前記揚送筒本体の一側面であって前記搬送ベルトの上昇面と対面するように配置されたガイドレールカバーに設けられる研磨ベルトと、で挟持することによって揚送する玉揚送装置において、
前記揚送筒本体には、前記上部ローラに向かって周回する前記搬送ベルトの上昇面に当接して従動することにより、前記搬送ベルトの周回動作を案内する複数の内部案内ローラが回転自在に軸支して設けられ、
前記上部ローラは、前記搬送ベルトの上昇面側で当該上部ローラの側端部が前記内部案内ローラの一側面とほぼ同一垂直面上となり、前記搬送ベルトの下降面側で当該上部ローラの側端部が前記内部案内ローラの他側面よりも外側に突出した状態となるように前記揚送筒本体に回転自在に軸支され、
前記揚送筒本体の上方部分には、前記上部ローラから周回してくる前記搬送ベルトの下降面を前記内部案内ローラの他側面と当接する位置まで押さえ込む上部押さえローラが設けられ、
前記揚送筒本体の下方部分には、前記搬送ベルトの下降面を前記上部押さえローラとの間で前記内部案内ローラの他側面と当接する状態に押さえ込んだ状態から外部に導出して前記下部ローラまでの間に当該搬送ベルトに張力を付与するためのテンションローラが設けられることを特徴とする玉揚送装置。
【発明の詳細な説明】
【技術分野】
【０００１】
本発明は、パチンコ島台に形成される玉揚送装置収納部に設置され、且つ、前記パチンコ島台に列設される複数の遊技機に供給するパチンコ玉を、揚送筒本体の上下の各端部に回転自在に軸支される上部ローラ及び下部ローラ間を周回せしめられる搬送ベルトによって揚送する玉揚送装置に関するものである。
【背景技術】
【０００２】
従来、一般に、複数の遊技機（例えば、パチンコ機）を列設するパチンコ島台には、特許文献１乃至特許文献３に開示されているように、パチンコ島台の複数の遊技機に供給するパチンコ玉を揚送する玉揚送装置が設けられている。図１６に示すように、このような玉揚送装置１１０は、パチンコ島台１００の中央に形成される玉揚送装置収納部１０１に設置され、且つ、揚送筒本体１１１の上下に回転自在に軸支される上部ローラ１１２及び下部ローラ１１３間をモータ１１４の駆動で周回せしめられる搬送ベルト１１５によってパチンコ玉を揚送するようになっている。また、玉揚送装置１１０の下方部分には、上部ローラ１１２から周回してくる搬送ベルト１１５の下降面を押さえ込むことで、搬送ベルト１１５に張力を付与する複数のテンションローラ１１６〜１１８が設けられている。
【先行技術文献】
【特許文献】
【０００３】
【特許文献１】実開平５−５１８３号公報（図６）
【特許文献２】特開平１０−１１８３１７号公報（図３）
【特許文献３】特開平１０−１９２５４０号公報（図２）
【発明の概要】
【発明が解決しようとする課題】
【０００４】
ところで、上記特許文献１の構成では、図１６に示すように、上部ローラ１１２及び下部ローラ１１３の各軸心方向と直交する面となる揚送筒本体１１１の側面が、上部ローラ１１２の直径寸法よりも狭い横幅寸法に設定されていた。このため、上部ローラ１１２から周回して各テンションローラ１１６〜１１８側へ送り込まれる搬送ベルト１１５の下降面は、揚送筒本体１１１の側面から前方（図１６中に示す左方向）にはみ出た状態となる。従って、このような玉揚送装置１１０を図１６に示す状態（玉揚送装置１１０の前後方向がパチンコ島台１００の長手方向と平行となる状態）でパチンコ島台１００内に設置する場合（横向き収納の場合）には、揚送筒本体１１１の前方にはみ出た搬送ベルト１１５の下降面の分、玉揚送装置収納部１０１の横幅寸法を広めにとる必要があった。
また、玉揚送装置１１０を図１７（Ａ）に示す状態（玉揚送装置１１０の前後方向がパチンコ島台１００の長手方向と直交となる状態）でパチンコ島台１００内に設置する場合（縦向き収納の場合）には、揚送筒本体１１１の前方にはみ出た搬送ベルト１１５の下降面の分、玉揚送装置収納部１０１の縦幅寸法を広めにとる必要があった。
しかしながら、玉揚送装置１１０の玉揚送装置収納部１０１への設置作業及び玉揚送装置１１０のメンテナンス作業等の各種作業効率を高めるために、玉揚送装置収納部１０１の前後空間（揚送筒本体１１１の側面と対向する側の空間）には開閉扉を設ける必要があり、このため、パチンコ島台１００に列設される複数のパチンコ機１２０を含む島台１００内の設備機器を玉揚送装置収納部１０１の前後空間に設置することができなかった。従って、上記したように玉揚送装置収納部１０１の寸法を広めにとると、その分、パチンコ島台１００内に設ける設備機器の設置スペースを狭めなければならなかった。
また、上記特許文献２，３の構成は、特許文献１の構成とは異なり、搬送ベルトの下降面がむき出しの状態とならないように、揚送筒本体の側面の横幅寸法を上部ローラの直径寸法よりも広く設定しているが、この構成では、揚送筒本体の側面の横幅寸法が大きくなる分、玉揚送装置収納部の横幅寸法を広めにとる必要があり、結果として、特許文献１の構成と同様に、パチンコ島台内に設ける設備機器の設置スペースを狭めなければならなかった。
本発明は、上記した事情に鑑みなされたもので、その目的とするところは、パチンコ島台の玉揚送装置収納部に設置されて搬送ベルトでパチンコ玉を揚送する玉揚送装置において、パチンコ島台内に設けられる設備機器の設置スペースを広くとることができる玉揚送装置を提供することにある。
【課題を解決するための手段】
【０００５】
上記した目的を達成するために、請求項１の発明においては、パチンコ島台に形成される玉揚送装置収納部に設置され、且つ、前記パチンコ島台に列設される複数の遊技機に供給するパチンコ玉を、垂直状に立設される断面方形中空状の揚送筒本体の上下の各端部に回転自在に軸支される上部ローラと下部ローラとの間を周回せしめられる無端状の搬送ベルトと、前記揚送筒本体の一側面であって前記搬送ベルトの上昇面と対面するように配置されたガイドレールカバーに設けられる研磨ベルトと、で挟持することによって揚送する玉揚送装置において、前記揚送筒本体には、前記上部ローラに向かって周回する前記搬送ベルトの上昇面に当接して従動することにより、前記搬送ベルトの周回動作を案内する複数の内部案内ローラが回転自在に軸支して設けられ、前記上部ローラは、前記搬送ベルトの上昇面側で当該上部ローラの側端部が前記内部案内ローラの一側面とほぼ同一垂直面上となり、前記搬送ベルトの下降面側で当該上部ローラの側端部が前記内部案内ローラの他側面よりも外側に突出した状態となるように前記揚送筒本体に回転自在に軸支され、前記揚送筒本体の上方部分には、前記上部ローラから周回してくる前記搬送ベルトの下降面を前記内部案内ローラの他側面と当接する位置まで押さえ込む上部押さえローラが設けられ、前記揚送筒本体の下方部分には、前記搬送ベルトの下降面を前記上部押さえローラとの間で前記内部案内ローラの他側面と当接する状態に押さえ込んだ状態から外部に導出して前記下部ローラまでの間に当該搬送ベルトに張力を付与するためのテンションローラが設けられることを特徴とする。
【発明の効果】
【００１０】
請求項１の発明においては、玉揚送装置の上方部分では、搬送ベルトの下降面を上部押さえローラによって内部案内ローラの他側面と当接する位置まで押さえ込み、玉揚送装置の下方部分では、搬送ベルトの下降面をテンションローラによって内部案内ローラの他側面と当接する状態に押さえ込む。これにより、搬送ベルトの下降面を内部案内ローラの他側面と当接するまで納めることができるので、玉揚送装置全体としてスリム化することができる。これに伴い、玉揚送装置収納部の寸法を狭めることができ、結果として、パチンコ島台内に設けられる設備機器の設置スペースを広くとることができる。
【００１１】
また、請求項１の発明においては、上部ローラ及び下部ローラ間に架け渡される搬送ベルトは、一般的に、周回するときの負荷状況等（例えば、揚送するパチンコ玉の有無、上部ローラ及び下部ローラの取付調節等）に応じて周回動作時にブレ（振動）が発生し、このブレによって搬送ベルト自体が反復運動して次第に横ズレする。しかしながら、請求項１の発明によれば、搬送ベルトの上昇面と下降面とがそれぞれ内部案内ローラと当接することで、搬送ベルト自体のブレ（振動）による反復運動を抑えることができ、結果として、搬送ベルトの横ズレを回避することができる。
【図面の簡単な説明】
【００１５】
【図１】実施形態に係る玉揚送装置が適用されるパチンコ島台の中央部分の一側から見た側面図である。
【図２】搬送ベルトカバーとテンションローラカバーとを取り外した玉揚送装置を示す側面図である。
【図３】搬送ベルトカバーとテンションローラカバーとを取り付けた玉揚送装置を示す側面図である。
【図４】玉揚送装置の下方部分を示す側面図である。
【図５】テンションローラ機構を構成する第一及び第三のテンションローラが搬送ベルトとの当接を解除した状態を示す斜視図である。
【図６】テンションローラ機構を構成する第一及び第三のテンションローラが搬送ベルトと当接した状態を示す斜視図である。
【図７】上部押さえローラと上部押さえローラガイドとを示す斜視図である。
【図８】上部押さえローラを取り外した状態の玉揚送装置の上方部分を示す側面図である。
【図９】上部押さえローラを取り付けた状態の玉揚送装置の上方部分を示す側面図である。
【図１０】図９のＣ−Ｃ線矢視断面図である。
【図１１】変形例１における上部押さえローラガイドと上部押さえローラとを示す斜視図である。
【図１２】変形例１における上部押さえローラガイドを示す斜視図である。
【図１３】同図（Ａ）〜（Ｃ）はそれぞれ変形例１における上部押さえローラと上部押さえローラガイドとによって搬送ベルトの汚れを除去する動作を示す説明図である。
【図１４】変形例２における上部押さえローラガイドと上部押さえローラとを示す斜視図である。
【図１５】変形例２における上部押さえローラガイドを示す斜視図である。
【図１６】従来における玉揚送装置が適用されるパチンコ島台の中央部分の一側から見た側面図である。
【図１７】同図（Ａ）は従来の玉揚送装置を縦向き収納したパチンコ島台を示す上面図であり、同図（Ｂ）は本実施形態の玉揚送装置を縦向き収納したパチンコ島台を示す上面図であり、同図（Ｃ）は本実施形態の玉揚送装置を縦向き収納して島幅自体が狭くなったパチンコ島台を示す上面図である。
【発明を実施するための形態】
【００１６】
以下、図面を参照して本発明の実施形態について説明する。まず、図１を参照して、本実施形態に係る玉揚送装置１０が設けられるパチンコ島台１の概略構成について説明する。図１は、実施形態に係るパチンコ島台１の中央部分の一側から見た側面図である。図において、パチンコ島台１は、周知のように、直方体状に枠組み構成され、その長手方向側面中央に遊技機としてのパチンコ機２を背向列設するようになっている。また、パチンコ島台１には、その略中央部に揚送装置収納部３が構成され、該揚送装置収納部３内に本実施形態の要部を構成する玉揚送装置１０が収納設置されている。本実施形態に係る玉揚送装置１０は、後に詳述するように帯状の搬送ベルト１５によってパチンコ玉を揚送するものである。なお、詳細に図示しないが、玉揚送装置１０の上部には、揚送されたパチンコ玉を一時的に貯留する上部タンクが設けられ、その上部タンクから左右に補給樋４が傾斜状に設けられており、上部タンクからパチンコ玉を流下させるようになっている。補給樋４には、各パチンコ機２に対応して分配シュートが設けられ、補給樋４を流下するパチンコ玉を取り込むようになっている。分配シュートによって取り込まれたパチンコ玉は、下部に設けられる計数装置によって計数された後、パチンコ機２の背面上部に設けられる賞球タンクに供給され、遊技によって遊技者に払い出される賞球として使用される。
【００１７】
一方、各パチンコ機２から排出される使用済玉は、周知のように計数機能を有するアウト玉回収箱から下方に排出される。アウト玉回収箱から排出されたパチンコ玉は、回収樋５や貯留タンク６を介して玉揚送装置１０の導入樋１６に誘導される。
【００１８】
次に、本実施形態の要部を構成する玉揚送装置１０の全体の構成について図２乃至図１０を参照して説明する。図２は、搬送ベルトカバー７０とテンションローラカバー４８とを取り外した玉揚送装置１０を示す側面図であり、図３は、搬送ベルトカバー７０とテンションローラカバー４８とを取り付けた玉揚送装置１０を示す側面図であり、図４は、玉揚送装置１０の下方部分を示す側面図であり、図５は、テンションローラ機構を構成する第一及び第三のテンションローラ３１，３３が搬送ベルト１５との当接を解除した状態を示す斜視図であり、図６は、テンションローラ機構を構成する第一及び第三のテンションローラ３１，３３が搬送ベルト１５と当接した状態を示す斜視図であり、図７は、上部押さえローラ６０と上部押さえローラガイド６３とを示す斜視図であり、図８は、上部押さえローラ６０を取り外した状態の玉揚送装置１０の上方部分を示す側面図であり、図９は、上部押さえローラ６０を取り付けた状態の玉揚送装置１０の上方部分を示す側面図であり、図１０は、図９のＣ−Ｃ線矢視断面図である。
【００１９】
図２及び図３において、玉揚送装置１０は、支持台１１の上部に上端から下端に亘ってほぼ断面コの字状、言い換えれば断面方形中空状（図１０参照）をなす揚送筒本体１２が垂直状に立設され、揚送筒本体１２の周囲を下部に支持される大径の下部ローラ１３と小径の上部ローラ１４との間に掛け渡される革製で且つ無端状の搬送ベルト１５が周回するようになっている。この搬送ベルト１５の周回駆動は、支持台１１に固着されるモータ取付台２７に載置固定されるモータ２８と下部ローラ１３とがＶベルト２９（図５及び図６参照）によって連結されることによって行われる。なお、搬送ベルト１５は、図２及び図３中において、反時計方向に周回するようになっており、以下の説明では、上昇する側となる同図中の右側の搬送ベルト１５の部分を搬送ベルト１５の上昇面といい、下降する側となる同図中の左側の搬送ベルト１５の部分を搬送ベルト１５の下降面という。また、搬送ベルト１５に張力を付与するためのテンションローラ機構が下部ローラ１３の上部の揚送筒本体１２に取り付けられている。そして、揚送筒本体１２の下部には、玉磨き前のパチンコ玉が流入して複数列に整列せしめられる導入樋１６が接続され、揚送筒本体１２の上部には、玉磨き後のパチンコ玉が排出される上部屈曲樋１８及び排出樋１９が接続されている。また、上部ローラ１４は、搬送ベルト１５の上昇面側で当該上部ローラ１４の側端部が揚送筒本体１２の一側面とほぼ同一垂直面上となり、搬送ベルト１５の下降面側で当該上部ローラ１４の側端部が揚送筒本体１２の他側面よりも外側に突出した状態となるように揚送筒本体１２に回転自在に軸支されている。
【００２０】
従って、導入樋１６から流入したパチンコ玉は、搬送ベルト１５によって揚送され、排出樋１９から排出されるが、その揚送される過程で後述するガイドレールカバー２０に周設される研磨ベルト２６との摩擦力によってパチンコ玉に付着した汚れが拭き取られ、排出樋１９からは、奇麗にされたパチンコ玉が排出されることになる。なお、揚送筒本体１２の内部には、ほぼ等間隔に複数の内部案内ローラ５０が回転自在に軸支して設けられている。そして、この内部案内ローラ５０の一側端部（研磨ベルト２６と対面する側）が揚送筒本体１２に形成された長方形状の臨設窓５１（図１０参照）に臨んで搬送ベルト１５の上昇面に当接して従動することにより、搬送ベルト１５の周回動作を案内するようになっている。また、導入樋１６には、導入樋１６の傾斜角を調整する傾斜角調整ボルト１７が設けられている。この傾斜角調整ボルト１７には、スプリングが周設されており、内部を流れる玉によって導入樋１６に無理な力が加わったときでも玉がスムーズに整列されるような構造となっている。
【００２１】
一方、前記した揚送筒本体１２の背面側（搬送ベルト１５の上昇面と対面する一側面）には、ガイドレールカバー２０が着脱自在に取り付けられるようになっている。このガイドレールカバー２０は、前記搬送ベルト１５や研磨ベルト２６を玉揚送装置１０に装着する際に取り外されるものであると共に、研磨ベルト２６自体がガイドレールカバー２０を周回するように装着される。そして、搬送ベルト１５や研磨ベルト２６が装着された時には、止め金具２５によってガイドレールカバー２０を揚送筒本体１２に対面させた状態に維持される。ただし、揚送筒本体１２とガイドレールカバー２０との間には、隙間が形成されることとなるが、この隙間は、止め金具２５の固着位置を調節することによってその寸法を設定することができ、その設定値に応じて揚送されるパチンコ玉への圧力を変化させることができる。また、ガイドレールカバー２０には、その背面に使用前のロール状研磨ベルト２６を装着する使用前研磨ベルト装着部２１と使用済の研磨ベルト２６をロール状に巻き取るための使用済研磨ベルト装着部２２とが設けられ、その上端後部に研磨ベルト２６を案内するためのローラ２３が設けられている。
【００２２】
しかして、使用前研磨ベルト装着部２１に装着された研磨ベルト２６は、ガイドレールカバー２０の下端から前面を通ってローラ２３に掛け渡され、その後、使用済研磨ベルト装着部２２に巻き付けられる。そして、そのように研磨ベルト２６を装着した状態で止め金具２５でガイドレールカバー２０を揚送筒本体１２に装着することにより、研磨ベルト２６と搬送ベルト１５の上昇面とを対面させ、搬送ベルト１５を周回動作させることによりパチンコ玉がガイドレールカバー２０の前面に形成される複数の玉通路に嵌り込みながら研磨ベルト２６に汚れをふき取られながら上昇するものである（図１０参照）。なお、営業終了時には、使用前研磨ベルト装着部２１に設けられるチャッキング装置を弛めて研磨ベルト２６が移動し得るようにした状態で、裏面上部の研磨ベルト２６を引っ張って未使用面をガイドレールカバー２０の前面側に位置させるようにし、その引っ張って余った研磨ベルト２６を使用済研磨ベルト装着部２２を巻き付け、前記チャッキング装置を締め付ける。これによって、翌日の研磨に対する準備が終了する。また、この研磨ベルト２６の巻き取り作業は、ガイドレールカバー２０を揚送筒本体１２から取り外した状態で行っても、あるいは取り付けたままの状態でも行うことができるが、新規な研磨ベルト２６を交換する場合には、ガイドレールカバー２０を揚送筒本体１２から取り外す必要がある。
【００２３】
また、上記した玉揚送装置１０の揚送筒本体１２とガイドレールカバー２０とは、揚送筒本体１２の両側面の複数箇所に止着されている止め金具２５によって取り付けられるが、その止め金具２５は、ガイドレールカバー２０の側面から突設される係合突起２４を支持し係合するものであり、止め金具２５と係合突起２４との係合状態を解除してガイドレールカバー２０を揚送筒本体１２に対して取り外すことができる一方、止め金具２５と係合突起２４とを係合状態にしてガイドレールカバー２０を揚送筒本体１２に対して取り付けることができる。
【００２４】
次に、玉揚送装置１０の下方部分に設けられて搬送ベルト１５に張力を付与するテンションローラ機構について、図４乃至図６を参照して説明する。テンションローラ機構は、第一、第二、及び第三の各テンションローラ３１〜３３を回転自在に軸支すると共に前記揚送筒本体１２に固着されて各テンションローラ３１〜３３を玉揚送装置１０の下方部分に取り付ける取付ベース３０を備えている。
【００２５】
取付ベース３０は、前面及び上下面が開放したコ字状の板材によって構成されており、その中程に第二テンションローラ３２が回転自在に軸支されている。即ち、取付ベース３０の中程両側に支持される調節支持杆３４に第二テンションローラ３２の回転軸が連結支持されている。なお、調節支持杆３４は取付ベース３０に貫通自在に設けると共に調節支持杆３４にはスプリング３５が周設され、調節支持杆３２の後端は、取付ベース３０の裏面に突出してナット３６（図２参照）で締着されるようになっている。しかして、ナット３６を弛めて調節支持杆３４を回転せしめることにより第二テンションローラ３２を前後方向に長さ調節し得るようになっており、調節支持杆３４、スプリング３５、及びナット３６は、調節機構を構成するものである。具体的には、調節支持杆３４の取付ベース３０から外側に突出する後端にナット３６を螺着することにより、ナット３６の螺着位置で調節支持杆３４の長さを調節すると共に周設されるスプリング３５で第二テンションローラ３２を常に前方に付勢する。これにより、搬送ベルト１５の旋回中でも常時調節支持杆３４に周設されるスプリング３５により搬送ベルト１５に最適な張力を付与することができる。
【００２６】
また、第二テンションローラ３２の上方に位置する取付ベース３０の部分には、第一テンションローラ３１（テンションローラ）の回転軸の一端を支持する支持片３７が固着されており、第一テンションローラ３１の回転軸の一端が支点ボルト３８を介して支持片３７に回動自在に支持されることで、第一テンションローラ３１は、搬送ベルト１５と当接する状態と搬送ベルト１５との当接を解除する状態との間で移行可能に設けられている。一方、第一テンションローラ３１の回転軸の他端と対応する取付ベース３０の部分には、上下方向の長穴形状をなす固定穴３９を穿設した揺動固定部材４０が支点ボルト４１によって上下方向に揺動自在に取り付けられている。揺動固定部材４０に穿設された固定穴３９は、搬送ベルト１５と当接した状態にある第一テンションローラ３１の回転軸の他端を固定ボルト４２で固定するためのものであり、支点ボルト４１の締結度合を調節することで、第一テンションローラ３１が適当な位置（第一テンションローラ３１の軸心方向が搬送ベルト１５の横幅方向と平行になる位置）で搬送ベルト１５と当接するように揺動固定部材４０（固定穴３９）の上下位置を微調整するようになっている。
【００２７】
また、第二テンションローラ３２の下方に位置する取付ベース３０の部分には、第三テンションローラ３３の回転軸の一端を支持する支持片４３が固着されており、第三テンションローラ３３の回転軸の一端が支点ボルト４４を介して支持片４３に回動自在に支持されることで、第三テンションローラ３３は、第一テンションローラ３１と同様に、搬送ベルト１５と当接する状態と搬送ベルト１５との当接を解除する状態との間で移行可能に設けられている。一方、第三テンションローラ３３の回転軸の他端と対応する取付ベース３０の部分には、固定穴４５を穿設した支持片４６が固着されている。固定穴４５は、搬送ベルト１５と当接した状態にある第三テンションローラ３３の回転軸の他端を固定ボルト４７で固定するためのものである。
【００２８】
しかして、図５に示すように、第一及び第三のテンションローラ３１，３３が搬送ベルト１５との当接を解除した状態で、第二テンションローラ３２の前方に搬送ベルト１５を位置させておき、その状態から、図６に示すように、第一テンションローラ３１の回転軸の他端を固定ボルト４２で固定穴３９に固定すると共に、第三テンションローラ３３の回転軸の他端を固定ボルト４７で固定穴４５に固定することにより、第一及び第三のテンションローラ３１，３３が搬送ベルト１５と当接した状態、言い換えれば、第一及び第三のテンションローラ３１，３３が搬送ベルト１５の下降面を押し込んだ状態となる。これにより、第一乃至第三のテンションローラ３１〜３３が同一垂直線上に並び、搬送ベルト１５が第一乃至第三のテンションローラ３１〜３３に交互に掛け渡されることで、搬送ベルト１５に適度な張力を付与するようになっている。また、このとき、第一テンションローラ３１は、搬送ベルト１５に適度な張力を付与すると共に、玉揚送装置１０の下方部分で搬送ベルト１５（具体的には、研磨ベルト２６の反対側に位置する搬送ベルト１５の下降面）を揚送筒本体１２の他側面の内部に納まった位置まで押さえ込むようになっている。また、第一乃至第三のテンションローラ３１〜３３の外周には、第一乃至第三のテンションローラ３１〜３３を保護するためのテンションローラカバー４８が取り付けられるようになっている（図２乃至図４参照）。
【００２９】
なお、テンションローラ機構（第一、第二、及び第三の各テンションローラ３１〜３３）の下方に配置される下部ローラ１３の下側には、導入樋１６から送り込まれたパチンコ玉を下部ローラ１３に巻き付けられた搬送ベルト１５との間で挟持し、下部ローラ１３の回転によって揚送する下部屈曲樋５２が設けられている。下部屈曲樋５２の後端部には、下部屈曲樋５２によるパチンコ玉の押圧力（搬送ベルト１５との間でパチンコ玉を挟持する力）を調整する押圧力調整ボルト５３が設けられている。この押圧力調整ボルト５３には、スプリングが周設されており、搬送ベルト１５との間で挟持する玉によって下部屈曲樋５２に無理な力が加わったときでも玉がスムーズに揚送されるような構造となっている。
【００３０】
また、テンションローラ機構の前方位置にはモータ取付台２７が配置され、該モータ取付台２７上には、搬送ベルト１５の周回駆動源となるモータ２８が載置固定されている。モータ２８の出力軸には、小径プーリ５４（図２及び図３参照）が固着され、この小径プーリ５４と下部ローラ１３の回転軸に固着される大径プーリ５５との間にＶベルト２９を掛け渡すことにより、モータ２８の回転駆動力が下部ローラ１３に伝達されて搬送ベルト１５が揚送筒本体１２を周回するようになっている。なお、Ｖベルト２９の外周には、Ｖベルト２９を保護するためのＶベルトカバー５６が取り付けられている。また、モータ２８は、取付板５７を介してモータ取付台２７上にボルト固定されるものであり、取付板５７の一端部分には、モータ取付台２７に対する取付板５７（モータ２８）の取付位置を微調整するための調整ボルト５８が設けられている。そして、この調整ボルト５８の締結度合を調節することで、モータ２８の出力軸の軸心方向が下部ローラ１３の回転軸の軸心方向と一致するように取付板５７（モータ２８）の取付位置を微調整するようになっている。
【００３１】
また、上記したテンションローラ機構（第一、第二、及び第三の各テンションローラ３１〜３３）、下部ローラ１３、及びモータ２８は、それぞれ支持台１１上に据え付けられた構造（据え付け構造体）となっており、支持台１１上に立設される揚送筒本体１２は、このような据え付け構造体とのジョイント構造によって取り付けられるようになっている。このため、玉揚送装置１０の高さを変更する場合には、玉揚送装置１０の下方部分に設けられるテンションローラ機構（第一、第二、及び第三の各テンションローラ３１〜３３）、下部ローラ１３、及びモータ２８はそのまま残して、高さ寸法が異なった揚送筒本体１２に取り換えるだけでよい。
【００３２】
ところで、本実施形態に係る玉揚送装置１０の上方部分には、図７に示すような上部押さえローラ６０が長板形状をなす左右一対の上部押さえローラガイド６３を介して取り付けられるようになっている。上部押さえローラ６０は、玉揚送装置１０の上方部分で搬送ベルト１５を押さえ込むためのものである。上部押さえローラ６０の軸心方向には、左右一対の回転軸６１が一体的に設けられ、該回転軸６１の先端側には、上部押さえローラガイド６３の板厚とほぼ同一幅の嵌合凹部６２が形成されている。上部押さえローラガイド６３は、ほぼ長方形状の平板からなり、その一端側には、当該上部押さえローラガイド６３を揚送筒本体１２の側面にボルト６８（図８及び図９参照）で固定するための取付穴６４が２箇所に穿設されている。一方、上部押さえローラガイド６３の他端側には、上部押さえローラ６０を回転自在に軸支するためのローラ軸支部６５が穿設されている。ローラ軸支部６５は、上部押さえローラ６０で搬送ベルト１５を押圧しながら回転軸６１を斜め上方から導入するための傾斜導入部６６と、該傾斜導入部６６の下端と連通して形成され、且つ搬送ベルト１５の反発力で回転軸６１の嵌合凹部６２と嵌合する軸支凹部６７と、から構成されている。なお、軸支凹部６７は、傾斜導入部６６の下端部分において、上部押さえローラガイド６３の他端方向（取付穴６４が穿設された方向とは逆の方向）へ突出する半円の凹形状に形成されており、上部押さえローラ６０は、搬送ベルト１５の反発力に抗して回転軸６１を軸支凹部６７との嵌合状態から解除することにより、搬送ベルト１５によって押圧されて傾斜導入部６６から取り外しが可能となっている。
【００３３】
次に、上記した上部押さえローラガイド６３を介した上部押さえローラ６０の取り付け構造、及び上部押さえローラ６０による搬送ベルト１５の押さえ込み構造について、図８乃至図１０を参照して説明する。
【００３４】
図８に示すように、左右一対の上部押さえローラガイド６３は、玉揚送装置１０の上方部分（具体的には、図１に示すように、玉揚送装置１０の上部に設けられる上部タンク等、パチンコ島台１の島台本体から上方に突出した部分を被覆する筐体形状のカバー体７内に位置する部分）となる揚送筒本体１２の両側面にそれぞれボルト６８で固定される（図８中には、揚送筒本体１２の一側面に固定された上部押さえローラガイド６３のみを図示）。このとき、上部押さえローラガイド６３のローラ軸支部６５は、揚送筒本体１２の前面側（研磨ベルト２６側と反対になる側）から突出する位置に配置される。そして、図９に示すように、上部押さえローラ６０のローラ外周面で搬送ベルト１５をＡ方向に押し込みながら、上部押さえローラ６０の回転軸６１をローラ軸支部６５の傾斜導入部６６に導入し、最終的に、搬送ベルト１５の張力によって上部押さえローラ６０がＡ方向の反対方向となるＢ方向へ押し戻されることで回転軸６１の嵌合凹部６２がローラ軸支部６５の軸支凹部６７に嵌合されて、上部押さえローラ６０が上部押さえローラガイド６３に軸支される。これにより、研磨ベルト２６の反対側に位置する搬送ベルト１５の下降面は、図１０にも示すように、玉揚送装置１０の上方部分で上部押さえローラ６０によって図９中に二点鎖線で示す状態から実線で示す状態、言い換えれば、揚送筒本体１２の前方にはみ出た状態から揚送筒本体１２の他側面の内部に納まった状態に押さえ込まれる。
【００３５】
従って、研磨ベルト２６の反対側に位置する搬送ベルト１５の下降面は、玉揚送装置１０の上方部分に設けられる上部押さえローラ６０によって揚送筒本体１２の他側面の内部に納まった位置に押さえ込まれると共に、前述した玉揚送装置１０の下方部分に設けられる第一テンションローラ３１によっても同様に、揚送筒本体１２の他側面の内部に納まった位置に押さえ込まれるようになっている。このため、上部押さえローラ６０と第一テンションローラ３１との間に位置する搬送ベルト１５の下降面は、揚送筒本体１２からはみ出ることなく揚送筒本体１２の他側面の内部に納まった状態で玉揚送装置１０に装着されることになり、玉揚送装置１０全体としてスリム化することができる。また、このような玉揚送装置１０のスリム化に伴い、玉揚送装置１０が設置されるパチンコ島台１において、玉揚送装置収納部３の横幅寸法を狭めることができる（本実施形態の玉揚送装置収納部３を示す図１と、従来例の玉揚送装置収納部１０１を示す図１６とを比較参照）。これにより、図１中に二点鎖線で示す従来でのパチンコ機２の設置スペースを、同図中に実線で示す本実施形態でのパチンコ機２の設置スペースに広げられる等、パチンコ島台１内に設けられる設備機器の設置スペースを広くとることができる。
【００３６】
なお、本実施例では、玉揚送装置１０を玉揚送装置収納部３に横向き収納したもので説明したが、玉揚送装置１０を玉揚送装置収納部３に縦向き収納した島台にも本発明の玉揚送装置１０を採用することができる。この場合には、玉揚送装置収納部３の島幅方向の寸法を狭めることができる（本実施形態の玉揚送装置収納部３を示す図１７（Ｂ）と、従来例の玉揚送装置収納部１０１を示す図１７（Ａ）とを比較参照）。これにより、図１７（Ｂ）中に鎖線で示す従来での玉揚送装置収納部の設置スペースをスリム化できるためパチンコ島台１内に設けられる設備機器の設置スペースを広くとることができる。また、この場合、図１７（Ｃ）中に鎖線で示すように玉揚送装置収納部３の島幅方向の寸法を狭めるのではなく、図１７（Ｃ）中に実線で示すように島幅自体を狭くすることも可能となる。
【００３７】
なお、上記した上部押さえローラ６０及び第一テンションローラ３１は、搬送ベルト１５の下降面を内部案内ローラ５０と当接する位置まで押さえ込むようになっている（図９参照）。即ち、搬送ベルト１５の上昇面と下降面とがそれぞれ内部案内ローラ５０と当接するようになっている。一般的に、上部ローラ及び下部ローラ間に架け渡される搬送ベルトは、周回するときの負荷状況等（例えば、揚送するパチンコ玉の有無、上部ローラ及び下部ローラの取付調節等）に応じて周回動作時にブレ（振動）が発生し、このブレによって搬送ベルト自体が反復運動して次第に横ズレする。しかしながら、本実施形態では、搬送ベルト１５の上昇面と下降面とがそれぞれ内部案内ローラ５０と当接することで、搬送ベルト１５自体のブレ（振動）による反復運動を抑えることができ、結果として、搬送ベルト１５の横ズレを回避するようになっている。
【００３８】
また、揚送筒本体１２の他側面の内部に納まった搬送ベルト１５の前方には、搬送ベルトカバー７０が取り付けられるようになっている。搬送ベルトカバー７０は、縦長の板形状をなし、断面コの字状に形成された揚送筒本体１２の前側開口部分にボルト６９で着脱自在に取り付けられる（図９及び図１０参照）。そして、搬送ベルトカバー７０は、揚送筒本体１２への装着状態において、揚送筒本体１２の他側面の内部となる断面コの字状の内部空間に収納された搬送ベルト１５の下降面を被覆することで、搬送ベルト１５が他の構成部材（例えば、パチンコ島台１内に設けられる配線等）と接触しないように保護するようになっている。
【００３９】
また、上記したようにスリム化された玉揚送装置１０の最下端の底壁基板をなす支持台１１には、玉揚送装置１０の移動を容易にする移動ローラ７１が取り付けられており、揚送筒本体１２の側面には、ほぼ真ん中ぐらいの高さ位置に取っ手部７２が一体的に取り付けられている。これにより、玉揚送装置１０のスリム化に伴って玉揚送装置収納部３の横幅寸法を狭めた本実施形態の構成においても、玉揚送装置収納部３に玉揚送装置１０を容易に設置することができると共に、メンテナンス等での玉揚送装置１０の取り出し作業が容易にできる。
【００４０】
ところで、モータ２８の駆動に基づいて上部ローラ１４及び下部ローラ１３間で周回せしめられる搬送ベルト１５は、パチンコ玉を揚送する際、当該揚送するパチンコ玉の汚れが少なからず外周面に付着する。そこで、玉揚送装置の上方部分で搬送ベルトを押さえ込む本発明の上部押さえローラ及び上部押さえローラガイドに対して、搬送ベルトの汚れを除去する機能を持たせることで、搬送ベルトの外周面を清掃するようにしてもよい。以下、このように搬送ベルトの外周面を清掃する上部押さえローラ及び上部押さえローラガイドの構成を変形例１，２として説明する。なお、以下の説明では、前述した実施形態と同様の機能を有する構成部材については便宜的に同一の符号を付すと共にその詳細な説明を省略する。
【００４１】
先ず、図１１乃至図１３を参照して、変形例１の上部押さえローラ１３０及び上部押さえローラガイド１３１について説明する。図１１は、変形例１における上部押さえローラ１３０と上部押さえローラガイド１３１とを示す斜視図であり、図１２は、変形例１における上部押さえローラガイド１３１を示す斜視図であり、図１３（Ａ）〜（Ｃ）は、それぞれ変形例１における上部押さえローラ１３０と上部押さえローラガイド１３１とによって搬送ベルト１５の汚れを除去する動作を示す説明図である。
【００４２】
図１１及び図１２に示すように、変形例１の上部押さえローラガイド１３１は、筐体形状のガイド本体１３２を備えている。ガイド本体１３２は、上面開口１３３を有する横長方形状の筐体形状に形成され、該横長方形状における長手方向の両側端面には、それぞれ上部押さえローラ１３０の後述する回転軸１４１を軸止するための軸止穴１３４が穿設されている。また、ガイド本体１３２の長手方向の両側端には、それぞれ上部押さえローラガイド１３１を揚送筒本体１２の両側面にボルト固定するための取付穴１３６を２箇所に穿設した取付片部１３５が延設されている。そして、ガイド本体１３２の前端側（取付片部１３６が延設される側の反対側）の内壁面には、搬送ベルト１５を押さえ込んだ状態の上部押さえローラ１３０の外周面と当接する当接除去手段としての当接突起部１３７が上部押さえローラ１３０の全長に亘って設けられている。なお、ガイド本体１３２の軸止穴１３４は、上部押さえローラガイド１３１に対する上部押さえローラ１３０（回転軸１４１）の取付位置を微調整（上部押さえローラ１３０が当接突起部１３７と当接する位置に調整）するために横長の長穴形状に形成されている。
【００４３】
一方、変形例１の上部押さえローラ１３０は、ローラ本体１４０に対して左右一対の回転軸１４１が着脱自在に取り付けられるようになっている。回転軸１４１は、一端側に雄ネジ部（図示しない）が形成される一方、他端側に六角頭部１４２が形成された六角ボルトから構成されている。ローラ本体１４０は、左右の回転軸１４１（雄ネジ部）を両端部分に個々に取り付ける雌ネジ穴１４４が穿設された軸心部材１４３と、該軸心部材１４３の外周部分にベアリング機構（図示しない）を介して回転自在に設けられるローラ外周面部１４５とから構成されている。なお、ローラ外周面部１４５は、汚れの吸着性に優れた材料から形成されている。
【００４４】
しかして、上記した上部押さえローラガイド１３１は、取付片部１３５（取付穴１３６）が揚送筒本体１２の両側面にボルト固定によって取り付けられ、当該上部押さえローラガイド１３１に上部押さえローラ１３０が取り付けられる。上部押さえローラ１３０の取付方法としては、搬送ベルト１５を押圧しながらローラ本体１４０を上部押さえローラガイド１３１のガイド本体１３２内に入れ込み、この状態から、左右の回転軸１４１をそれぞれガイド本体１３２の軸止穴１３４を通して軸心部材１４３の雌ネジ穴１４４に螺着して固定する。これにより、上部押さえローラ１３０は、軸心部材１４３が回転軸１４１と一体的に上部押さえローラガイド１３１に固定される。また、軸心部材１４３に対して回転自在に設けられたローラ外周面部１４５は、図１３（Ａ）に示すように、搬送ベルト１５を押圧する共に、該搬送ベルト１５を押圧した部分とは反対側となる外周部分に当接突起部１３７が当接された状態でガイド本体１３２内に取り付けられる。なお、上部押さえローラ１３０及び上部押さえローラガイド１３１の取付方法としては、先に上部押さえローラ１３０を上部押さえローラガイド１３１に取り付けた後、この状態で上部押さえローラガイド１３１を揚送筒本体１２に取り付けるようにしてもよい。
【００４５】
そして、上部押さえローラガイド１３０のローラ外周面部１４５は、図１３（Ｂ）に示すように、搬送ベルト１５の周回に伴って回転軸１４１（軸心部材１４３）を中心としてＤ方向（図１３中に示す反時計方向）に回転し、この回転動作中にその優れた吸着性能により搬送ベルト１５の外周面に付着したパチンコ玉の汚れＹを吸着して、搬送ベルト１５の汚れＹを除去する。その後、ローラ外周面部１４５に吸着された汚れＹは、図１３（Ｃ）に示すように、ローラ外周面部１４５のＤ方向への回転に伴い、当該ローラ外周面部１４５と当接するガイド本体１３２内の当接突起部１３７によって削ぎ落とされ、最終的に、筐体形状をなすガイド本体１３２内の底壁部分に回収される。また、ガイド本体１３２内に回収された汚れＹは、玉揚送装置１０のメンテナンス時等に、上部押さえローラ１３０を上部押さえローラガイド１３１から取り外したり、あるいは上部押さえローラガイド１３１を揚送筒本体１２から取り外すことでガイド本体１３２内から取り出される。
【００４６】
なお、上記した変形例１では、上部押さえローラ１３０を、軸心部材１４３と該軸心部材１４３の外周部分にベアリング機構を介して回転自在に設けられるローラ外周面部１４５とから構成することで、上部押さえローラ１３０の回転軸１４１を上部押さえローラガイド１３１に固定する構造としているが、このような回転軸の固定構造に限定するものではない。例えば、図１４及び図１５に示す変形例２の上部押さえローラ１５０及び上部押さえローラガイド１５１の構成としてもよい。図１４は、変形例２における上部押さえローラ１５０と上部押さえローラガイド１５１とを示す斜視図であり、図１５は、変形例２における上部押さえローラガイド１５１を示す斜視図である。
【００４７】
図１４及び図１５に示すように、変形例２の上部押さえローラ１５０は、その軸心方向に左右一対の回転軸１５２が一体的に設けられ、該回転軸１５２の先端には、軸頭部１５３が形成されている。また、上部押さえローラ１５０のローラ外周面は、変形例１の上部押さえローラ１３０と同様に、汚れの吸着性に優れた材料から形成されている。一方、変形例２の上部押さえローラガイド１５１は、変形例１の上部押さえローラガイド１５１と同様に、上面開口１５５を有する横長方形状の筐体からなるガイド本体１５４を備えている。ガイド本体１５４の長手方向の両側端面には、それぞれ上部押さえローラ１５０の回転軸１５２を回転自在に軸支するためのローラ軸支部１５６が穿設されている。ローラ軸支部１５６は、上部押さえローラ１５０が搬送ベルト１５を押圧した状態で回転軸１５２を斜め上方から導入するための傾斜導入部１５７と、該傾斜導入部１５７の下端と連通して形成されると共に回転軸１５２と嵌合することで上部押さえローラ１５０を回転自在に軸支する軸支凹部１５８と、から構成されている。なお、上部押さえローラ１５０は、回転軸１５２が軸支凹部１５８との嵌合状態を解除することで、搬送ベルト１５によって押圧されて傾斜導入部１５７から取り外しが可能となっている。
【００４８】
また、ガイド本体１５４の長手方向の両側端には、それぞれ上部押さえローラガイド１５１を揚送筒本体１２の両側面にボルト固定するための取付穴１６０を２箇所に穿設した取付片部１５９が延設されている。そして、ガイド本体１５４の前端側（取付片部１５９が延設される側の反対側）の内壁面には、変形例１の上部押さえローラガイド１５１と同様に、搬送ベルト１５を押さえ込んだ状態の上部押さえローラ１５０の外周面と当接する当接除去手段としての当接突起部１６１が上部押さえローラ１５０の全長に亘って設けられている。
【００４９】
しかして、上記した上部押さえローラガイド１５１は、取付片部１５９（取付穴１６０）が揚送筒本体１２の両側面にボルト固定によって取り付けられ、当該上部押さえローラガイド１５１に上部押さえローラ１５０が取り付けられる。上部押さえローラ１５０の取付方法としては、上部押さえローラ１５０のローラ外周面で搬送ベルト１５を押し込みながら、上部押さえローラ１５０の回転軸１５２をローラ軸支部１５６の傾斜導入部１５７に導入し、最終的に、搬送ベルト１５の張力によって上部押さえローラ１５０が押し戻されることで回転軸１５２がローラ軸支部１５６の軸支凹部１５８に嵌合されて、上部押さえローラ１５０が上部押さえローラガイド１５１に軸支される。
【００５０】
そして、上部押さえローラガイド１５０のローラ外周面は、搬送ベルト１５の周回に伴って回転軸１５２を中心に回転し、この回転動作中にその優れた吸着性能により搬送ベルト１５の外周面に付着したパチンコ玉の汚れを吸着して、搬送ベルト１５の汚れを除去する。その後、上部押さえローラガイド１５０のローラ外周面に吸着された汚れは、上部押さえローラガイド１５０の回転に伴い、ガイド本体１５４内の当接突起部１６１によって削ぎ落とされ、最終的に、筐体形状をなすガイド本体１５４内の底壁部分に回収される。また、ガイド本体１５４内に回収された汚れは、玉揚送装置１０のメンテナンス時等に、上部押さえローラ１５０を上部押さえローラガイド１５１から取り外すことでガイド本体１５４内から取り出される。
【００５１】
以上説明したように、本実施形態（変形例１，２を含む）の構成によれば、玉揚送装置の上方部分では、搬送ベルトの下降面を上部押さえローラによって揚送筒本体の他側面の内部に納める位置まで押さえ込み、玉揚送装置の下方部分では、搬送ベルトの下降面をテンションローラによって揚送筒本体の他側面の内部に納まった状態に押さえ込む。これにより、搬送ベルトの下降面をむき出しの状態とならないように揚送筒本体の他側面の内部に納めることができるので、玉揚送装置全体としてスリム化することができる。これに伴い、玉揚送装置収納部の横幅寸法を狭めることができ、結果として、パチンコ島台内に設けられる設備機器の設置スペースを広くとることができる。
【００５２】
なお、本実施例では、玉揚送装置１０を玉揚送装置収納部３に横向き収納したもので説明したが、玉揚送装置１０を玉揚送装置収納部３に縦向き収納した島台にも本発明の玉揚送装置１０を採用することができる。この場合には、玉揚送装置収納部３の島幅方向の寸法を狭めることができる（本実施形態の玉揚送装置収納部３を示す図１７（Ｂ）と、従来例の玉揚送装置収納部１０１を示す図１７（Ａ）とを比較参照）。これにより、図１７（Ｂ）中に鎖線で示す従来での玉揚送装置収納部の設置スペースをスリム化できるためパチンコ島台１内に設けられる設備機器の設置スペースを広くとることができる。また、この場合、図１７（Ｃ）中に鎖線で示すように玉揚送装置収納部３の島幅方向の寸法を狭めるのではなく、図１７（Ｃ）中に実線で示すように島幅自体を狭くすることも可能となる。
【００５３】
また、上部ローラ及び下部ローラ間に架け渡される搬送ベルトは、一般的に、周回するときの負荷状況等（例えば、揚送するパチンコ玉の有無、上部ローラ及び下部ローラの取付調節等）に応じて周回動作時にブレ（振動）が発生し、このブレによって搬送ベルト自体が反復運動して次第に横ズレする。しかしながら、本実施形態の構成によれば、搬送ベルトの上昇面と下降面とがそれぞれ内部案内ローラと当接することで、搬送ベルト自体のブレ（振動）による反復運動を抑えることができ、結果として、搬送ベルトの横ズレを回避することができる。
【００５４】
また、揚送筒本体を上端から下端に亘ってほぼ断面コの字状に形成することで、揚送筒本体自体の強度を高めることができる。然も、搬送ベルトは、揚送筒本体の断面コの字状の内部空間に収納される。このため、断面コの字状の開口部分から容易に揚送筒本体を着脱することができるので、搬送ベルトの交換作業効率を高めることができる。また、搬送ベルトの下降面を被覆する搬送ベルトカバーを揚送筒本体に対して着脱自在に設けたので、搬送ベルトが他の構成部材（例えば、パチンコ島台内に設けられる配線等）と接触しないように保護することができる。
【００５５】
また、上部押さえローラを揚送筒本体に取り付ける際には、上部押さえローラが搬送ベルトを押圧した状態で上部押さえローラの回転軸を上部押さえローラガイドの傾斜導入部から導入して、上部押さえローラの回転軸を搬送ベルトの反発力で上部押さえローラガイドの軸支凹部に回転自在に軸支する。そして、このような回転軸の軸支凹部との嵌合状態を搬送ベルトの反発力に抗して解除することで、上部押さえローラを傾斜導入部から取り外すことができる。このため、揚送筒本体に対して上部押さえローラを容易に着脱することができ、ひいては、搬送ベルトの交換作業を容易に行うことができる。
【００５６】
更に、上部押さえローラは、搬送ベルトの下降面を揚送筒本体の他側面の内部に押さえ込むだけでなく、搬送ベルトとの当接によって搬送ベルトの汚れを吸着する。そして、上部押さえローラによって吸着された汚れ、即ち上部押さえローラに付着した汚れは、搬送ベルトとの当接部分以外となる部分で上部押さえローラと当接する当接除去手段によって削ぎ落とされて除去される。このため、搬送ベルトの外周面に付着した汚れ（例えば、搬送ベルトの上昇面で揚送したパチンコ玉の汚れ等）が循環的にパチンコ玉に付着するという不具合を解消することができる。また、上部押さえローラで吸着した汚れは、当接除去手段によって削ぎ落とす構成とすることで、部品交換や清掃作業等を行うことなく、常に上部押さえローラのローラ外周面を清潔に保つことができる。
【００５７】
なお、本実施形態では、上部ローラから周回してくる搬送ベルトの下降面を揚送筒本体の他側面の内部に納める位置まで押さえ込む上部押さえローラを揚送筒本体に取り付けた構成を例示しているが、この構成に限定するものではない。例えば、上部押さえローラを搬送ベルトカバーに取り付け、当該搬送ベルトカバーを揚送筒本体に取り付けることで、遊技機の上方に位置する揚送筒本体の部分に上部押さえローラを設けるようにしてもよい。
【符号の説明】
【００５８】
１  パチンコ島台
２  パチンコ機（遊技機）
３  玉揚送装置収納部
４  補給樋
７  カバー体
１０  玉揚送装置
１１  支持台
１２  揚送筒本体
１３  下部ローラ
１４  上部ローラ
１５  搬送ベルト
２６  研磨ベルト
２０  ガイドレールカバー
２８  モータ
３０  取付ベース
３１  第一テンションローラ（テンションローラ）
３２  第二テンションローラ
３３  第三テンションローラ
５０  内部案内ローラ
６０  上部押さえローラ
６１  回転軸
６２  嵌合凹部
６３  上部押さえローラガイド
６５  ローラ軸支部
６６  傾斜挿入部
６７  嵌合穴
７０  搬送ベルトカバー
１３０  上部押さえローラ
１３１  上部押さえローラガイド
１３２  ガイド本体
１３７  当接突起部（当接除去手段）
１５０  上部押さえローラ
１５１  上部押さえローラガイド
１５４  ガイド本体
１６１  当接突起部（当接除去手段）
【図１】
0005500294.tif 000002
【図２】
0005500294.tif 000003
【図３】
0005500294.tif 000004
【図４】
0005500294.tif 000005
【図５】
0005500294.tif 000006
【図６】
0005500294.tif 000007
【図７】
0005500294.tif 000008
【図８】
0005500294.tif 000009
【図９】
0005500294.tif 000010
【図１０】
0005500294.tif 000011
【図１１】
0005500294.tif 000012
【図１２】
0005500294.tif 000013
【図１３】
0005500294.tif 000014
【図１４】
0005500294.tif 000015
【図１５】
0005500294.tif 000016
【図１６】
0005500294.tif 000017
【図１７】
0005500294.tif 000018